(57)【要約】  携帯電話機が提供されている。上記携帯電話機は、筐体と、上記筐体に結合されたハードウェアコンポーネントと、を備え、上記ハードウェアコンポーネントは、実質的に同じサイズだが異なる機能を有する、互換性のあるコンポーネントの群から選択される。
2015512164.tif 000002
【特許請求の範囲】
【請求項１】
筺体と、
実質的に同じサイズだが異なる機能を有する互換性のあるコンポーネントの群から選択されたハードウェアコンポーネントであって、上記筺体に結合されたハードウェアコンポーネントとを含むことを特徴とする携帯電話機。
【請求項２】
互換性のあるハードウェアコンポーネントの群の上記ハードウェアコンポーネントは、実質的に同じ形状を有することを特徴とする請求項１に記載の携帯電話機。
【請求項３】
上記互換性のあるコンポーネントの群から選択された第２のハードウェアコンポーネントで、上記の第１のハードウェアコンポーネントを置き換えることが可能であるように構成されていることを特徴とする請求項１に記載の携帯電話機。
【請求項４】
上記ハードウェアコンポーネントはエンドユーザによって選択されたものであることを特徴とする請求項１に記載の携帯電話機。
【請求項５】
携帯電話ネットワークとの通信のために構成されたアンテナをさらに備えることを特徴とする請求項１に記載の携帯電話機。
【請求項６】
実質的に同じサイズだが異なる機能を有する互換性のあるコンポーネントの第２の群から選択された第２のハードウェアコンポーネントであって、上記筺体に結合された第２のハードウェアコンポーネントをさらに含むことを特徴とする請求項１に記載の携帯電話機。
【請求項７】
上記第１のハードウェアコンポーネントが上記筺体の第１部分に配置され、上記第２のハードウェアコンポーネントが上記筺体の第２部分に配置され、
第３のハードウェアコンポーネントを上記筐体の上記第１部分と上記第２部分とを組み合わせた部分に配置して、上記第３のハードウェアコンポーネントと、上記第１のハードウェアコンポーネントならびに上記第２のハードウェアコンポーネントとを交換することが可能であるように構成されていることを特徴とする請求項６に記載の携帯電話機。
【請求項８】
上記第３のハードウェアコンポーネントは、実質的に同じサイズだが異なる機能を有する互換性のあるコンポーネントの第３の群から選択されたものであることを特徴とする請求項７に記載の携帯電話機。
【請求項９】
互換性のあるハードウェアコンポーネントの第１の群のハードウェアコンポーネントのサイズと、互換性のあるハードウェアコンポーネントの第２の群のハードウェアコンポーネントのサイズとは異なることを特徴とする請求項６に記載の携帯電話機。
【請求項１０】
互換性のあるコンポーネントの第２の群のコンポーネントは、互換性のあるハードウェアコンポーネントの第１の群のコンポーネントと互換性がないことを特徴とする請求項９に記載の携帯電話機。
【請求項１１】
上記第１のハードウェアコンポーネントは、上記筺体の、互換性のあるハードウェアコンポーネントの第１の群のハードウェアコンポーネントを受け入れるための第１部分に配置され、上記第２のハードウェアコンポーネントは、上記筺体の、互換性のあるハードウェアコンポーネントの第２の群のハードウェアコンポーネントを受け入れるための第２部分に配置されていることを特徴とする請求項９に記載の携帯電話機。
【請求項１２】
上記筺体は、異なるサイズの筺体の群から選択されたものであることを特徴とする請求項１に記載の携帯電話機。
【請求項１３】
上記ハードウェアコンポーネントは、上記筺体のサイズに適合した、互換性のあるハードウェアコンポーネントの部分群から選択されたものであることを特徴とする請求項１２に記載の携帯電話機。
【請求項１４】
１つないし複数の互換性のないハードウェアコンポーネントをさらに備えることを特徴とする請求項１に記載の携帯電話機。
【請求項１５】
上記互換性のあるハードウェアコンポーネントが上記筺体の容積中で占めている部分が、上記筺体の容積中で上記互換性のないハードウェアコンポーネントが占めている部分よりも大きいことを特徴とする請求項１４に記載の携帯電話機。
【請求項１６】
携帯電話機のハードウェアをカスタマイズするためのコンピュータ化された方法であって、
ユーザ入力装置から筺体選択情報を受け取る工程と、
ハードウェアコンポーネントと上記筺体選択情報との間の適合性に基づいて設定された、上記ハードウェアコンポーネントの群を特定する工程と、
上記特定された適合性のあるハードウェアコンポーネントの群を出力する工程とを含むことを特徴とする方法。
【請求項１７】
上記筺体選択情報は、携帯電話機の筺体の群からの選択を含むことを特徴とする請求項１６に記載の方法。
【請求項１８】
携帯電話の筺体の群を準備する工程をさらに含むことを特徴とする請求項１６に記載の方法。
【請求項１９】
携帯電話の筺体のリストを表示画面に表示させる工程をさらに含むことを特徴とする請求項１８に記載の方法。
【請求項２０】
複数の携帯電話の筺体の画像を表示画面に表示させる工程をさらに含むことを特徴とする請求項１８に記載の方法。
【請求項２１】
上記適合性は少なくとも１つのサイズ値に基づいたものであることを特徴とする請求項１６に記載の方法。
【請求項２２】
上記適合性は形状に基づいたものであることを特徴とする請求項１６に記載の方法。
【請求項２３】
適合性のあるハードウェアコンポーネントの部分群中のハードウェアコンポーネント間の互換性の指標を示す工程をさらに含むことを特徴とする請求項１６に記載の方法。
【請求項２４】
第１のハードウェア選択情報を受け取る工程と、
第２のハードウェアコンポーネントと、上記第１のハードウェア選択情報と、上記筺体選択情報との間の適合性に基づいて設定された、適合性のある上記第２のハードウェアコンポーネントの群を特定する工程と、
上記特定された適合性のある第２のハードウェアコンポーネントの群を出力する工程とを含むことを特徴とする請求項１６に記載の方法。
【請求項２５】
第１のハードウェア選択情報を受け取る工程と、
適合性のないハードウェアコンポーネントと、上記第１のハードウェア選択情報と、上記筺体選択情報との間の非適合性に基づいて設定された、上記適合性のないハードウェアコンポーネントの群を特定する工程と、
上記特定された適合性のないハードウェアコンポーネントの群を出力する工程とをさらに含むことを特徴とする請求項１６に記載の方法。
【請求項２６】
あるハードウェアコンポーネントと上記筺体選択情報間の上記非適合性は、１つないし複数の基準に依存することを示す工程をさらに含むことを特徴とする請求項２５に記載の方法。
【請求項２７】
あるハードウェアコンポーネントと上記筺体選択情報間の上記適合性は、１つないし複数の基準に依存することを示す工程をさらに含むことを特徴とする請求項１６に記載の方法。
【請求項２８】
上記筺体選択情報は、組み立て済みの携帯電話機の群からどの組み立済み携帯電話機が選択されたかという情報を含み、各組み立て済みの携帯電話機は、実質的に同じサイズだが異なる機能を有する互換性のあるハードウェアコンポーネントの群から選択されたハードウェアコンポーネントを受け止めるように構成されている空部分を少なくとも１つ有し、上記筺体選択情報と適合性を有するハードウェアコンポーネントのリストは、上記少なくとも１つの空部分に適合するハードウェアコンポーネントの部分群を含むことを特徴とする請求項１６に記載の方法。
【請求項２９】
上記ハードウェアコンポーネントの群をリストとして表示させる工程をさらに含むことを特徴とする請求項１６に記載の方法。
【請求項３０】
上記ハードウェアコンポーネントの群を１つないし複数の画像として表示させる工程をさらに含むことを特徴とする請求項１６に記載の方法。
【請求項３１】
上記ユーザ入力装置はネットワークを介して遠隔地に位置していることを特徴とする請求項１６に記載の方法。
【請求項３２】
携帯電話機のハードウェアをカスタマイズするためのコンピュータ化された方法であって、
ユーザ入力装置からハードウェアコンポーネント選択情報を受け取る工程と、
携帯電話機の筺体と上記ハードウェアコンポーネント選択情報との間の適合性に基づいて設定された、適合性のある上記携帯電話機の筺体の群を特定する工程と、
上記特定された適合性のある携帯電話機の筺体の群を出力する工程とを含むことを特徴とする方法。
【請求項３３】
上記ハードウェアコンポーネント選択情報は、ハードウェアコンポーネントの群からの選択を含むことを特徴とする請求項３２に記載の方法。
【請求項３４】
ハードウェアコンポーネントの群を供給する工程をさらに含むことを特徴とする請求項３２に記載の方法。
【請求項３５】
上記ハードウェアコンポーネントの群のハードウェアコンポーネントに関する補助的情報を供給する工程をさらに含むことを特徴とする請求項３４に記載の方法。
【請求項３６】
上記補助的情報は、サイズ、重量、および料金のうち少なくとも１つを含むことを特徴とする請求項３５に記載の方法。
【請求項３７】
ハードウェアコンポーネントのリストを表示画面に表示させる工程をさらに含むことを特徴とする請求項３４に記載の方法。
【請求項３８】
複数のハードウェアコンポーネントの画像を表示画面に表示させる工程をさらに含むことを特徴とする請求項３４に記載の方法。
【請求項３９】
上記適合性は少なくとも１つのサイズ値に基づいたものであることを特徴とする請求項３２に記載の方法。
【請求項４０】
上記サイズ値は体積寸法であることを特徴とする請求項３９に記載の方法。
【請求項４１】
上記サイズ値は、幅、長さ、厚さのうちの少なくとも１つであることを特徴とする請求項３９に記載の方法。
【請求項４２】
上記適合性は、上記ハードウェアコンポーネント選択情報に対応するあるハードウェアコンポーネントが必要とする部分の数と配置のうち少なくとも１つに基づいたものであることを特徴とする請求項３２に記載の方法。
【請求項４３】
筺体選択情報を受け取る工程と、
第２のハードウェアコンポーネントと、上記ハードウェアコンポーネント選択情報と、上記筺体選択情報との間の適合性に基づいて設定された、適合性のある上記第２のハードウェアコンポーネントの群を特定する工程と、
上記特定された適合性のある第２のハードウェアコンポーネントの群を出力する工程とをさらに含むことを特徴とする請求項３２に記載の方法。
【請求項４４】
上記ハードウェア選択情報が電池情報を含むことを特徴とする請求項４３に記載の方法。
【請求項４５】
第２のリストは、上記ハードウェアコンポーネントの電力消費値と、上記電池情報との適合性に基づいていることを特徴とする請求項４４に記載の方法。
【請求項４６】
筺体選択情報を受け取る工程と、
適合性のないハードウェアコンポーネントと、上記ハードウェア選定情報と、上記筺体選択情報との間の非適合性に基づいて設定された、上記適合性のないハードウェアコンポーネントの群を特定する工程と、
上記特定された適合性のないハードウェアコンポーネントの群を出力する工程とをさらに含むことを特徴とする請求項３２に記載の方法。
【請求項４７】
あるハードウェアコンポーネントと上記筺体選択情報との間の上記非適合性は、１つないし複数の基準に依存することを示す工程をさらに含むことを特徴とする請求項４６に記載の方法。
【発明の詳細な説明】
【発明の詳細な説明】
【０００１】
〔技術分野〕
本開示は、一般的に携帯電話の分野に関する。より具体的には、本開示は、ハードウェアをカスタマイズ可能な携帯電話の分野に関する。
【０００２】
〔背景技術〕
携帯電話はスペースが制約されていることで知られている。スペースが制約されていることで、ユニバーサルな特徴をもつウィジェットよりもむしろ限定的な特徴をもつ新しいウィジェットを含めることが難しくなっている。従来、必須ハードウェアに必要とされていた容積が削減されるにつれ携帯電話も小型化してきた。必須ハードウェアの容積が削減されたことで生まれたスペースのうち少なくともいくらかのスペースに組み込まれた新しいウィジェットもあるが、スケールメリットを維持するために、携帯電話とそれに付随するウィジェットは一般的にカスタマイズすることができない。ユーザはあらかじめ選択されたウィジェットを搭載した所望の電話を選ぶことができるが、携帯電話メーカーまたはその競合相手によって提供される限定的な選択肢から選ぶしかない。したがって、ユーザが選択できるコンポーネントでハードウェアをカスタマイズ可能な携帯電話の必要性がある。
【０００３】
〔発明の概要〕
一実施形態は携帯電話に関する。該携帯電話は、筺体と、略同じサイズだが異なる機能を有する互換性のあるコンポーネントの群から選択されたハードウェアコンポーネントであって、上記筺体に結合されたハードウェアコンポーネントとを含む。
【０００４】
その他の一実施形態は、携帯電話のハードウェアをカスタマイズするためのコンピュータ化された方法に関する。該方法は、ユーザ入力装置から筺体選択情報を受け取る工程と、ハードウェアコンポーネントと上記筺体選択情報との間の適合性に基づいて設定された、ハードウェアコンポーネントの群を特定する工程と、上記特定された適合性のあるハードウェアコンポーネントの群を出力する工程とを含む。
【０００５】
その他の一実施形態は、携帯電話のハードウェアをカスタマイズするためのコンピュータ化された方法に関する。該方法は、ユーザ入力装置からハードウェアコンポーネント選択情報を受け取る工程と、携帯電話の筺体と上記ハードウェアコンポーネント選択情報との間の適合性に基づいて設定された、適合性のある携帯電話の筺体の群を特定する工程と、上記特定された適合性のある携帯電話の筺体の群を出力する工程とを含む。
【０００６】
その他の一実施形態は、エンドユーザによって携帯電話のハードウェアをカスタマイズする方法に関する。該方法は、エンドユーザより携帯電話の筺体の群からの携帯電話の筺体の選択を受け取る工程と、エンドユーザに、異なった機能を有する互換性のあるハードウェアコンポーネントの部分群を送信する工程と、エンドユーザから、該互換性のあるハードウェアコンポーネントの部分群からの少なくとも１つのハードウェアコンポーネントの選択を受け取とる工程とを含む。該互換性のあるハードウェアコンポーネントは、選択された携帯電話の筺体と、利用可能な互換性のあるハードウェアコンポーネントの群との間の適合性に基づいて設定されたものである。
【０００７】
その他の一実施形態は、携帯電話の販売方法に関する。該方法は、筺体に収納可能に構成された１つないし複数の選択可能なハードウェアコンポーネントで、ハードウェアをカスタマイズ可能な携帯電話の販売申出を行う工程と、筺体に収納可能に構成された少なくとも１つのハードウェアコンポーネントについての複数の選択肢の申出を行う工程と、筺体に収納可能に構成された少なくとも１つのハードウェアコンポーネントの選択を受け取る工程とを含む。
【０００８】
その他の一実施形態は、携帯電話のハードウェアをカスタマイズする方法に関する。該方法は、携帯電話の筺体の群から携帯電話の筺体を選択する工程と、該選択された携帯電話の筺体と、利用可能な互換性のあるハードウェアコンポーネントの群との間の適合性に基づいて設定された互換性のあるハードウェアコンポーネントの部分群から少なくとも１つのハードウェアコンポーネントを選択する工程とを含む。
【０００９】
上記は概略であり、必然的に簡略化したり、一般化したり、詳細を省略している。よって、当業者は、本概略は例示をする為だけのものであり、まったく限定を加える意図のないものであることを理解するであろう。本明細書で説明する装置や方法のその他の態様、特徴点、効果は、添付の図面を参照する以下の詳細な説明により明らかになるであろう。
【００１０】
〔図面の簡単な説明〕
図１は、さまざまな例示的実施形態に係る、さまざまな携帯電話を示した例示的表示である。
【００１１】
図２Ａは、例示的実施形態に係る、携帯電話の模式的ブロック図である。
【００１２】
図２Ｂは、例示的実施形態に係る、携帯電話の模式的ブロック図である。
【００１３】
図２Ｃは、例示的実施形態に係る、携帯電話の模式的ブロック図である。
【００１４】
図３は、別の実施形態に係る、携帯電話の模式的ブロック図である。
【００１５】
図４Ａは、一例示的実施形態に係る、携帯電話の横断立面図を詳細に示した模式的ブロック図である。
【００１６】
図４Ｂは、一例示的実施形態に係る、携帯電話の横断立面図を詳細に示した模式的ブロック図である。
【００１７】
図４Ｃは、一例示的実施形態に係る、携帯電話の横断立面図を詳細に示した模式的ブロック図である。
【００１８】
図４Ｄは、一例示的実施形態に係る、携帯電話の横断立面図を詳細に示した模式的ブロック図である。
【００１９】
図５は、一例示的実施形態に係る、携帯電話の筐体のリストを示した例示的表示である。
【００２０】
図６は、一実施形態に係る、ハードウェアコンポーネントのリストを示した例示的表示である。
【００２１】
図７は、一実施形態に係る、携帯電話の筐体とハードウェアコンポーネントの画像を示した例示的表示である。
【００２２】
図８は、一実施形態に係る、ネットワークを介して接続され、本開示のシステムおよび方法を使うよう構成されたサーバおよびクライアントの模式図である。
【００２３】
図９は、一例示的実施形態に係る、電子処理装置の詳細ブロック図である。
【００２４】
図１０は、一例示的実施形態に係る、携帯電話用にハードウェアをカスタマイズする工程のフローチャートである。
【００２５】
図１１は、別の実施形態に係る、携帯電話のハードウェアをカスタマイズする工程のフローチャートである。
【００２６】
図１２は、別の実施形態に係る、携帯電話のハードウェアをカスタマイズする工程のフローチャートである。
【００２７】
図１３は、別の実施形態に係る、携帯電話のハードウェアをカスタマイズする工程のフローチャートである。
【００２８】
図１４は、別の実施形態に係る、携帯電話のハードウェアをカスタマイズする工程のフローチャートである。
【００２９】
図１５は、別の実施形態に係る、携帯電話のハードウェアをカスタマイズする工程のフローチャートである。
【００３０】
図１６は、別の実施形態に係る、携帯電話のハードウェアをカスタマイズする工程のフローチャートである。
【００３１】
図１７は、別の実施形態に係る、携帯電話のハードウェアをカスタマイズする工程のフローチャートである。
【００３２】
図１８は、別の実施形態に係る、携帯電話のハードウェアをカスタマイズする工程のフローチャートである。
【００３３】
図１９は、別の実施形態に係る、携帯電話のハードウェアをカスタマイズする工程のフローチャートである。
【００３４】
図２０は、別の実施形態に係る、携帯電話のハードウェアをカスタマイズする工程のフローチャートである。
【００３５】
図２１は、一例示的実施形態に係る、携帯電話を販売する工程のフローチャートである。
【００３６】
図２２は、別の実施形態に係る、携帯電話を販売する工程のフローチャートである。
【００３７】
図２３は、別の実施形態に係る、携帯電話を販売する工程のフローチャートである。
【００３８】
図２４は、別の実施形態に係る、携帯電話のハードウェアをカスタマイズする工程のフローチャートである。
【００３９】
図２５は、別の実施形態に係る、携帯電話のハードウェアをカスタマイズする工程のフローチャートである。
【００４０】
〔発明を実施するための形態〕
全体的に図面を参照しながら、さまざまな例示的実施形態に基づいて、ハードウェアをカスタマイズ可能な携帯電話およびそのコンポーネントに関するシステムおよび方法を示す。ハードウェアをカスタマイズ可能な携帯電話は、一般的に、筐体と、直接的または間接的に（例：回路基板経由）上記筐体と結合した１つないし複数の選択可能なハードウェアコンポーネントと、を備える。例えば、上記選択可能なハードウェアコンポーネントは上記電話に設けられた受け部に挿込接続をしてもよい。上記選択可能なハードウェアコンポーネントは、実質的に同じサイズだが異なる機能を有するコンポーネントの群からのものであってよい。上記選択可能なハードウェアコンポーネントは、同じ群またはコンポーネントの第２の群に含まれる他のハードウェアコンポーネントと置き換えることが可能であってよい。コンポーネントの上記第２の群は、同じまたは異なる機能、および異なるサイズを有してもよいが、上記受け部と上記筐体のサイズに適合しているものである。携帯電話をカスタマイズする方法もまた説明する。一実施形態によると、ユーザは、利用可能な携帯電話の筐体の群から筐体を、または利用可能なハードウェアコンポーネントの群からハードウェアを選択することができる。その後、ユーザには上記選択した筐体またはコンポーネントと適合性のある、携帯電話の筐体の部分群またはハードウェアコンポーネントの部分群が提供される。適合性は、サイズ値（例：長さ、幅、厚さ、面積、体積寸法等）、ハードウェアコンポーネントの形状、電力消費量、筐体の受け部が他のコンポーネントを受け入れられるかどうか、に基づくことができる。上記ユーザはその後、筐体または追加のハードウェアコンポーネントの選択へと進み、携帯電話をさらにカスタマイズすることができる。
【００４１】
本開示の目的のためのさらなる留意事項は、「結合」という用語が、互いに直接的または間接的に２つの部材をつなぐことを意味することである。上記つなぐことは静的な性質であっても可動性であってもよく、また、上記２つの部材間で流体、電気、電気信号、またはその他の種類の信号もしくは通信、の流れを許容してもよい。上記つなぐことは、（ｉ）上記２つの部材、もしくは互いに一体化して単体として形成された上記２つの部材と任意の追加的な中間部材、または（ｉｉ）上記二つの部材、もしくは互いに接着された上記２つの部材と任意の追加的中間部材を用いて達成してもよい。上記つなぐことは、永続的な性質であっても、除去可能もしくは解除可能な性質であってもよい。
【００４２】
図１を参照する。表示１１４は、さまざまな例示的実施形態に係るさまざまな携帯電話１０を示す。携帯電話１０は異なる形状（例：様式、外観、曲線形等）およびサイズ（例：高さ、幅、長さ、面積、体積寸法等）を有する。携帯電話１０は一般的に筐体１２と、ディスプレイ１４と、ユーザ入力装置１６（キーパッド、キーボード、ボタン、トラックボール、タッチスクリーン、エンドユーザ入力装置等）と、を備える。筐体１２は一般的に剛性の構造体またはハウシングであり、ユーザが手でつかむことができるよう、かつ携帯電話１０の内部コンポーネントを液体、ごみ、衝撃またはその他の汚れから保護するよう構成されている。筐体１２は、電池、ＳＩＭカードなどの内部コンポーネントにアクセスできるよう構成された取り外し可能なカバーを備えてもよい。携帯電話１０ａとして示すタッチスクリーン式の携帯電話は、筐体１２ａと、接触感知式ディスプレイ１４ａと、１つないし複数のベゼルもしくはソフトボタン１６ａと、を備える。携帯電話１０ｂとして示す標準型（キャンディーバー式）の携帯電話は、筐体１２ｂと、ディスプレイ１４ｂと、キーパッド１６ｂと、を備える。携帯電話１０ｃとして示すクラムシェル式（例：フリップ式電話）の携帯電話は、継手１９でヒンジ式に結合された上部１７ｃと下部１８ｃを有する筐体１２ｃを備える。クラムシェル式携帯電話１０ｃは上部１７ｃに配置されたディスプレイ１４ｃと、下部１８ｃに配置されたキーパッド１６ｃと、を備える。携帯電話１０ｄとして示すスライドアウト式（例：スライダー式）の携帯電話は、スライド可能に結合された上部１７ｄと下部１８ｄを有する筐体１２ｄを備える。スライドアウト式携帯電話１０ｄは、上部１７ｄに配置されたディスプレイ１４ｄ（接触感知式でもよい）と、下部１８ｄに配置されたキーパッド１６ｄと、を備える（例：テンキー、英数字キーボード等）。
【００４３】
図２Ａ〜図２Ｃを参照する。例示的実施形態に基づき、タッチスクリーン式の携帯電話として示す携帯電話１０の模式的ブロック図を示す。携帯電話１０は、筐体１２と、アンテナ２０と、電子処理装置１０４と、を備えることが示されている。アンテナ２０は携帯電話ネットワークと通信できるよう構成されてよく、アンテナ２０および電子処理装置１０４は直接的または間接的に（例：回路基板経由）筐体１２と結合されてもよい。一例示的実施形態によると、ソフトウェアの幾つかは置き換えることができない。例えば、ディスプレイ１４、キーボード１８、電子処理装置１０４（例：プロセッサ等）、アンテナ２０、およびカメラは、交換が行われないことを前提に、またハードウェアコンポーネントの交換が極端に困難な様式で恒久的に筐体に固定されているか、恒久的に筐体１２と結合されている。例えば、ディスプレイ１４は接着剤（例：室温加硫接着剤）を用いて筐体１２と結合される。
【００４４】
図９を簡単に参照する。一例示的実施形態に基づき、図２Ａの電子処理装置１０４の詳細ブロック図を示す。電子処理装置１０４はメモリ１２０と、プロセッサ１２２と、を備える。プロセッサ１２２は、１つないし複数のマイクロプロセッサ、特定用途向け集積回路（ＡＳＩＣ）、１つないし複数の処理コンポーネントを含む回路、分散型処理コンポーネント群、マイクロプロセッサ支援回路、または処理用に構成されたその他のハードウェアであってよく、またはこれらを含んでもよい。一例示的実施形態によると、プロセッサ１２２は、メモリ１２０が記憶したコンピュータコードを実行して、本明細書で説明する操作を完了または容易にするよう構成されている。メモリ１２０は、本明細書で説明する操作に関するデータまたはコンピュータコードの記憶が可能であれば、どのような揮発性もしくは非揮発性のメモリ装置でもよい。例えば、メモリ１２０は、プロセッサ１２２によって実行されるよう構成されたコンピュータコードモジュール（例：実行形式コード、オブジェクトコード、ソースコード、スクリプトコード、機械コード等）であるモジュール１２８・１３０を備えることが示されている。電子処理装置１０４は、プロセッサ１２２によって実行されるとき、本明細書で説明する操作を完了するよう構成されている。電子処理装置１０４は、モジュール１２８・１３０のコンピュータコードの実行を支援するためのハードウェア回路を備える。例えば、電子処理装置１０４から電子処理装置１０４に結合された１つないし複数の回路へと制御信号（例：アナログ、デジタル）を通信するために、電子処理装置１０４はハードウェアインターフェース（例：出力１５０）を備える。電子処理装置１０４はまた、他のシステムまたは装置からのデータまたは信号を受け取るために入力１５５を備えてもよい。
【００４５】
メモリ１２０は、別のモジュールまたはプロセスからアクセスされるまでデータ（例えばユーザ入力、ダウンロードしたデータ等）を受け取り記憶しておくためのメモリバッファを備えることが示されている。メモリ１２０はさらに、システムおよび装置間で通信するためのロジックを含む通信モジュール１２８を備えることが示されている。例えば、通信モジュール１２８は、ネットワークを介した通信のために、アンテナまたはデータポートを使うよう構成されてもよい。通信モジュール１２８はさらに、パラレルバス、シリアルバス、またはネットワークを介して、上記携帯電話の内部で他のコンポーネントと通信するよう構成されてもよい。メモリ１２０はさらにユーザインターフェースモジュール１３０を備えることが示されている。ユーザインターフェースモジュール１３０は、所望のユーザレスポンスを決定するために、メモリバッファ１２４内のユーザ入力データまたは入力１５５からの信号を使うためのロジックを備える。例えば、ユーザインターフェースモジュール１３０は、キーボード、マウス、またはタッチスクリーンからの信号またはデータを、プロセッサ１２２が使うことができる信号またはデータに変換、転換、もしくは処理するよう構成されてもよい。
【００４６】
筐体１２はさらに１つないし複数の受け部２２（例：部分、領域、ソケット、コネクタ等）を備えることが示されている。受け部２２は、第１の受け部２２ａおよび第２の受け部２２ｂとして示されており、直接的にまたは間接的に（例：回路基板経由等）筐体１２と結合されてもよい。受け部２２のそれぞれは、一定のサイズおよび構成のハードウェアコンポーネント２４（例：互換性のあるハードウェアコンポーネント、選択可能なハードウェアコンポーネント、ウィジェット、要素等）の受け取め、支持、または該一定のサイズおよび構成のハードウェアコンポーネント２４との結合を行うよう構成されている。図示するように、第１の受け部２２ａは、実質的に同じサイズだが異なる機能を有するコンポーネントの第１の群から選択された第１のハードウェアコンポーネント２４ａを受け取めるよう構成されている。ハードウェアコンポーネントの上記第１の群から選択されたハードウェアコンポーネント２４は、コンポーネントの上記第１の群に含まれる他のハードウェアコンポーネント２４と置き換えることが可能（例：交換可能、代用可能等）である。一実施形態によると、上記第１の群に含まれる互換性のあるハードウェアコンポーネント２４は、実質的に同一の形状を有している。
【００４７】
携帯電話１０は第２の受け部２２ｂを備えてもよい。第２の受け部２２ｂは、実質的に同じサイズだが異なる機能を有するコンポーネントの第２の群から選択された第２のハードウェアコンポーネント２４ｂを受け取めるよう構成されている。第１の受け部２２ａおよび第２の受け部２２ｂのサイズは同一であっても異なっていてもよい。一例示的実施形態によると、第１の受け部２２ａと第２の受け部２２ｂの寸法は類似しており（例：長さ、幅、面積、体積寸法等）、そのような場合、ハードウェアコンポーネント２４は、第１の受け部２２ａまたは第２の受け部２２ｂのいずれかに取り付けることができる。すべての受け部２２がハードウェアコンポーネント２４と直接結合（例：挿込接続、挿入、取り付け、スナップ式の押し込み、結合等）される必要はない。例えば、図２Ａを参照すると、第１のハードウェアコンポーネント２４ａは、第１の受け部２２ａと結合しているが第２の受け部２２ｂは、どのハードウェアコンポーネントとも結合されていない。
【００４８】
図２Ｃを参照すると、第３のハードウェアコンポーネント２４ｃとして示されるより大型のハードウェアコンポーネントが、第１の受け部２２ａおよび第２の受け部２２ｂの両方に配置されてもよいことがさらに考えられる。上記第３のハードウェアコンポーネントは、実質的に同じサイズだが異なる機能を有するコンポーネントの第３の群から選択されてもよい。
【００４９】
すべての受け部２２は、ハードウェアコンポーネント２４と電気的に結合するよう構成された電気接点２６を１つまたはそれ以上備えてもよい。一例示的実施形態によると、ハードウェアコンポーネント２４の群のそれぞれは、電気接点２６の群と電気的に結合するよう構成されている。図２Ａおよび図２Ｂを参照すると、１つのハードウェアコンポーネント２４は、１つの受け部２２における電気接点２６にのみ結合するよう構成されている。図２Ｃを参照すると、１つのハードウェアコンポーネント２４は、１つ以上の受け部２２における接点２６と結合するように構成されている。
【００５０】
図２〜図４を総合的に参照すると、ハードウェアコンポーネント２４は、ハードウェアコンポーネント２４の形およびサイズに関して適合性を有することができる。例えば、１群をなすハードウェアコンポーネント２４はそれぞれ同一のサイズであってよく、そのため、受け部２２間で交換することができる。ハードウェアコンポーネント２４の群はそれぞれ、置き換えることが可能である。例えば、第３のハードウェアコンポーネント２４ｃは、第１のハードウェアコンポーネント２４ａと第２のハードウェアコンポーネント２４ｂとの組み合わせと同一のサイズであってよい。上記で説明したとおり、ハードウェアコンポーネント２４の群は、予め規定された電気接続２８で携帯電話１０に接続されてもよい。図２Ｂに示すように、第１の受け部２２ａおよび第２の受け部２２ｂにおける接点２６の数および配置は、第１のハードウェアコンポーネント２４ａおよび第２のハードウェアコンポーネント２４ｂがいずれかの受け部に設置されることを可能にする。図２Ｃに示すように、第１の受け部２２ａおよび第２の受け部２２ｂにおける接点２６の数および配置は、第３のハードウェアコンポーネント２４ｃが両方の受け部２２にまたがって取り付けられることを可能にする。受け部２２において、標準化された数および配置の接点を設けることは、携帯電話１０に適合するハードウェアコンポーネントの構築を容易にする。さらにハードウェアコンポーネントの群は、予め規定された光接続で携帯電話１０に接続されてもよく、さらにハードウェアコンポーネント２４は、予め規定された電気接続または光接続で互いに接続されてもよいことが考えられる。例えば、第３のハードウェアコンポーネント２４ｃは、第１のハードウェアコンポーネント２４ａを、第３のハードウェアコンポーネント２４ｃの上に積載できるよう構成されてもよい。積載が可能になることで、本来必要であった、他のハードウェアコンポーネントの除去を行うことなく、より大型の、または複数の受け部を必要とするハードウェアコンポーネント２４の取り付けを容易にする。ハードウェアコンポーネント２４の群は、容易に置き換え可能となるように、サイズまたは電力使用量を標準化してもよい。ハードウェアコンポーネントの群は標準化された筐体の容積に収納できるようコンポーネントの寸法（例：面積、体積寸法等）を標準化してもよい。
【００５１】
ハードウェアコンポーネント２４はさまざまな機能を有することができる。一実施形態によると、ハードウェアコンポーネント２４は、コネクタ、例えば、ユニバーサルシリアルバス（ＵＳＢ）コネクタ、ＩＥＥＥ１３９４コネクタ、ディスプレイポート（DisplayPort）コネクタ、Digital Visual Interfaceコネクタ、同軸ケーブルコネクタ、High Definition Multimedia Interfaceコネクタ、registered jack （ＲＪ）、ＴＲＳコネクタ、またはそれらの小型版であってよい。本実施形態において、ユーザは、アナログ信号を、例えばヘッドフォンに出力するためのハードウェアコンポーネントとして、ＴＲＳコネクタを第１の受け部２２ａに挿入してもよい。そして、ユーザは、デジタル信号を例えばコンピュータに出力するためのハードウェアコンポーネントとして、上記ＴＲＳコネクタを、ミニＵＳＢコネクタに取り替えてもよい。一例示的実施形態によると、電子処理装置１０４は、電子処理装置１０４と上記ハードウェアコンポーネントとの間の通信を支援するために、メモリ１２０の構成データ１２６の中にコンピュータコード（例：ソフトウェア、ファームウェア、ドライバー等）を含んでもよい。別の実施形態によると、ハードウェアコンポーネント２４は、ハードウェアコンポーネント２４と電子処理装置１０４との通信を支援するよう構成されたコンピュータコード（例：ソフトウェア、ファームウェア、ドライバー等）を含んでもよい。
【００５２】
その他のさまざまな実施形態によると、ハードウェアコンポーネント２４は、超音波検査変換器、心臓モニター、血糖テスター、または赤外線カメラを含むことができる。ハードウェアコンポーネント２４は、心拍、または、壁もしくは扉の反対側の対象物もしくはヒトの存在を検知するよう構成されたマイクロインパルスレーダー変換器を含んでもよい。ハードウェアコンポーネント２４は食品テスター（例えば、ピーナツ、魚、乳製品などのアレルギー源の存在を検知するように構成されたコンポーネント）を含んでもよい。ハードウェアコンポーネント２４は、クレジットカードに記憶されたデータのスワイピング操作または読み取りに使われる磁気ストライプリーダーを含んでもよい。ハードウェアコンポーネント２４は、無線ＩＤチップに関する情報の検知および受領のために使われるＲＦＩＤリーダーを含んでもよい。ハードウェアコンポーネント２４は、例えば、位置、速度、加速度に関する情報を記録するように構成された事故データレコーダー（例：フライトレコーダー、ブラックボックス等）を含んでもよい。上記事故データレコーダーは、加速度計またはジャイロスコープを備えてもよいし、ピーク時の情報データを記憶するか、激しい加速または減速に反応してデータの上書きを停止するように構成されてもよい。これは、例えば事故再現や、扶養家族としてティーンエイジャーを持つ親が、該ティーンエイジャーの運転行動を監視するのに有用である。ハードウェアコンポーネント２４は電源（例：燃料電池、電池、太陽電池など）を含んでもよい。一実施形態によると、小型の電池は、第１の受け部２２ａに結合し、より大型の電池（例：よりパワフルな、より寿命が長い等）は、第１の受け部２２ａおよび第２の受け部２２ｂと結合してもよい。ハードウェアコンポーネント２４は、電子処理装置（例：マイクロプロセッサ、メモリ等）を含んでもよい。例えば、ユーザは、携帯電話１０の中に画像処理ユニットを挿入して、ゲームの体感性を向上させたり、ビデオプロジェクター（別のハードウェアコンポーネント２４）を補佐したりしてもよい。ハードウェアコンポーネント２４はディスプレイを含んでもよい。例えば、ユーザは追加的な揮発性メモリ（例：ＲＡＭ）または非揮発性メモリ（例：フラッシュメモリ等）を含むハードウェアコンポーネント２４を取り付けてもよい。別の実施形態によると、ユーザは、カードリーダーハードウェアコンポーネント（例：ＳＩＭカード、ＳＤカード等）を携帯電話１０に取り付けてもよい。ハードウェアコンポーネント２４は、音声信号の再生または録音を容易にするために、スピーカーまたはマイクを含んでもよい。ハードウェアコンポーネント２４はキーボード、キーパッド、トラックボール、タッチパッドまたはその他のユーザ入力装置を含んでもよい。ハードウェアコンポーネント２４は、携帯電話１０のセキュリティを高めるために用いられる生体認証リーダ（例：指紋リーダー、網膜スキャナ等）を含んでもよい。ハードウェアコンポーネント２４は、ユーザが信号を受け取るまたは送信することができるよう、アンテナ（例：短波ラジオ、振幅変調（ＡＭ）、周波数変調（ＦＭ）、モバイル・コミュニケーションのためのグローバル・システム（ＧＳＭ（登録商標））、符号分割多元接続（ＣＤＭＡ）、３Ｇ、４Ｇ、全地球測位システム（ＧＰＳ）、反響定位（例：ソナー等）を含んでもよい。例えば、３Ｇアンテナを有するユーザは、ユーザの置かれた環境で技術が利用可能となった際に、該アンテナを４Ｇアンテナと取り替える選択をしてもよい。またはユーザは、ＧＳＭ（登録商標）が優勢を占める国を旅行する際にＣＤＭＡアンテナをＧＳＭ（登録商標）アンテナに取り替える選択をしてもよい。別の例としては、ユーザはラジオ放送を聞くためにＡＭアンテナまたはＦＭアンテナを取り付けてもよい。
【００５３】
好ましい一実施形態によると、ハードウェアコンポーネント２４は少なくともその一部が筐体１０の中に配置されている。例えば、変換器、コネクタ、またはカメラは、必要に応じて送信、接続、または受信を行うために、一部が筐体１０の外部に出ていることが考えられる。他の実施形態によると、ハードウェアコンポーネント２４は完全に筐体１０の内部に配置されている。これらの実施形態においては、ハードウェアコンポーネント２４を除去したり交換したりするためには、筐体１０を開く（例えば、カバーを取り外す）必要がある。
【００５４】
さまざまな実施形態によると、第１のハードウェアコンポーネント２４a、第２のハードウェアコンポーネント２４ｂ、第３のハードウェアコンポーネント２４ｃ、すなわち互換性のあるハードウェアコンポーネント２４は、一般的にエンドユーザによって選択される。エンドユーザは携帯電話１０の購入者、または長期の保有を意図する者であってよい。他の実施形態によると、上記エンドユーザは、仲介人（例えば、他人に対して上記電話を再販売（例：小売業者へ）、リース、贈与（例：友人、家族へ、等）、または供給（例：同僚へ、雇用者へ、ＩＴ部へ、等）するために上記電話を設定する人物）であってよい。
【００５５】
図３を参照する。一例示的実施形態に基づき、クラムシェル式携帯電話１０ｃとして示す携帯電話１０の模式的ブロック図を示す。図示するように、携帯電話１０のサイズおよび形状により、筐体１２の中には１つの受け部２２しか設けることができない場合がある。この場合、図３の携帯電話１０は、図２Ｃのハードウェアコンポーネント２４ｃを収容することができない。このため、携帯電話１０で使用するハードウェアコンポーネント２４は、携帯電話１０の受け部のサイズおよび形状と適合するコンポーネントの部分群から選択される。
【００５６】
図４Ａ〜４Ｄを参照する。例示的実施形態に基づき、総合的に図１のタッチスクリーン式携帯電話１０aとして示される携帯電話１０の断面を示した模式的ブロック図を示す。図４Ａの携帯電話１０は、比較的薄い断面をもつ筐体１２と、第１の受け部２２ａと、を備えることが示されている。対照的に、図４Ｂ〜４Ｄの携帯電話１０は、（ｉ）第２の受け部２２ｂおよび第３の受け部２２ｃ（ハードウェアコンポーネント２４ａの下方または後方に位置する）と、（ｉｉ）電子処理装置１０４と、（ｉｉｉ）アンテナ２０と、を収容する、より厚みのある断面を有する筐体１２を備えることが示されている。図４Ｂの携帯電話１０においては、第２の受け部２２ｂおよび第３の受け部２２ｃにまたがるように（第２の受け部２２ｂおよび第３の受け部２２ｃそれぞれの内部とその間等にわたって）、より長いハードウェアコンポーネント２４ｄが収容されていることが示されている。図４Ｃの携帯電話１０においては、第１の受け部２２ａおよび第２の受け部２２ｂにまたがるように（第１の受け部２２ａおよび第２の受け部２２ｂそれぞれの内部とその間等にわたって）より厚みのあるハードウェアコンポーネント２４ｅが収容されていることが示されている。図示するように、第３の受け部２２ｃは、第１の受け部２２ａおよび第２の受け部２２ｂのそれぞれとは異なるサイズのハードウェアコンポーネント２４を受け取るように構成されている。したがって、第３の受け部２２ｃに納まるよう構成されたハードウェアコンポーネント２４の群は互いに置き換えることが可能であるが、第１の受け部２２ａおよび第２の受け部２２ｂに納まるよう構成されたハードウェアコンポーネント２４の群とは置き換えることができない。図４Ｄの携帯電話１０においては、第１の受け部２２ａ、第２の受け部２２ｂ、および第３の受け部２２ｃにまたがるように（第１の受け部２２ａ、第２の受け部２２ｂ、および第３の受け部２２ｃの内部とその間等にわたって）、より大型で、より複雑なハードウェアコンポーネント２４ｆが収容されていることが示されている。本明細書に示す実施形態によると、図４Ｃおよび図４Ｄにおける、より厚みを有するコンポーネント２４ｅおよび２４ｆは、図４Ａの薄い筐体の内部に納めることはできないであろう。他のさまざまな実施形態によると、受け部２２の数および配置、ならびにハードウェアコンポーネント２４の形状およびサイズによって、筐体１２の内部において可能となり得るハードウェアコンポーネント２４の組合せが数多く生み出され、事実上の三次元パズルが作り出される。
【００５７】
対照的に、従来の知識は常に、携帯電話をより小さく、より薄くするためのものであった。これらの、小型化が進んで行く電話には、互換性のあるハードウェアコンポーネントについては言うまでもなく、余分なコンポーネントのためのスペースは残されていない。しかし、本明細書に開示するカスタマイズ式携帯電話では、ユーザは、追加の受け部または特に所望する選択可能なハードウェアコンポーネントを収容するために、より大きな（例：より幅広い、より長い、より厚みがある等）携帯電話を選択することができる。あるいは、ユーザは、互換性のあるハードウェアコンポーネントの交換のみを行うことを把握したうえでより小さな電話を選択することができる。
【００５８】
なお、携帯電話１０の特定の様式は、携帯電話１０のサイズ、または筐体１２内部での受け部２２の数を本質的に規定するものではない。例えば、図３に示されているクラムシェル式携帯電話１０ｃは１つの受け部２２しか備えていないが、ユーザは、より長く、より幅広く、またはより厚みのあるクラムシェル式電話１０ｃを選択して追加の受け部２２または追加のもしくはより大型の選択可能なハードウェアコンポーネント２４を収容することができる。
【００５９】
一実施形態によると、互換性のあるハードウェアコンポーネント２４の容積中で占めている部分は、筐体１２において、互換性のないハードウェアコンポーネント（例：ディスプレイ１４、ユーザ入力装置１６、電子処理装置１０４、およびアンテナ２０）よりも大きい。別の実施形態によると、互換性のあるハードウェアコンポーネント２４は、筐体１２の容積の少なくとも５０パーセントの容積を占める。別の実施形態によると、互換性のあるハードウェアコンポーネント２４は、筐体１２の少なくとも９０パーセントの容積を占める。
【００６０】
図１および図５〜図８を参照する。一例示的実施形態に基づき、ユーザ（例：エンドユーザ）が携帯電話をカスタマイズすることができるシステムを示す。クライアント１１０がネットワーク１００（例：ローカルエリアネットワーク、ワイドエリアネットワーク、インターネット等）を介してサーバ１０２と通信することが示されている。クライアント１１０は、ディスプレイ１１４と、電子処理装置１０４ｃと、ユーザ入力装置１１６と、を備える。ユーザ入力装置１１６はキーボード、キーパッド、マウス、トラックボール、タッチスクリーン等であってよい。クライアント１１０は、例えば、家庭用パソコン、携帯型コンピューティング装置、携帯電話、店舗内キオスク端末等、適切であればどのようなコンピューティング装置でもよい。
【００６１】
電子処理装置１０４について上記で説明したとおり、さらに総合的に図９を参照すると、電子処理装置１０４ｃはメモリ１２０と、プロセッサ１２２と、を備えてもよい。
プロセッサ１２２は、１つないし複数のマイクロプロセッサ、特定用途向け集積回路（ＡＳＩＣ）、１つないし複数の処理コンポーネントを含む回路、分散型処理コンポーネント群、マイクロプロセッサ支援回路、または処理用に構成されたその他のハードウェアであってよく、またはこれらを含んでもよい。一例示的実施形態によると、プロセッサ１２２は、メモリ１２０が記憶したコンピュータコードを実行して、本明細書で説明する操作を完了または容易にするよう構成されている。メモリ１２０は、本明細書で説明する操作に関するデータまたはコンピュータコードの記憶が可能であれば、どのような揮発性もしくは非揮発性のメモリ装置でもよい。例えば、メモリ１２０は、プロセッサ１２２によって実行されるよう構成されたコンピュータコードモジュール（例：実行形式コード、オブジェクトコード、ソースコード、スクリプトコード、機械コード等）であるモジュール１２８〜１３２を備えることが示されている。電子処理装置１０４ｃは、プロセッサ１２２によって実行されるとき、本明細書で説明する操作を完了するよう構成されている。電子処理装置１０４ｃは、モジュール１２８〜１３２のコンピュータコードの実行を支援するためのハードウェア回路を備える。例えば、電子処理装置１０４ｃから電子処理装置１０４ｃに結合された１つないし複数の回路へと制御信号（例：アナログ、デジタル）を通信するために、電子処理装置１０４ｃはハードウェアインターフェース（例：出力１５０）を備える。電子処理装置１０４ｃはまた、他のシステムまたは装置からのデータまたは信号を受け取るために入力１５５を備えてもよい。メモリ１２０は、ユーザ入力モジュール１３０またはメモリバッファ１２４からのデータまたは信号をサーバ１０２に送信する情報（例：選択情報、プリファレンス情報等）に転換するロジックを含むカスタマイズモジュール１３２を備えることが示されている。
【００６２】
サーバ１０２は、電子処理装置１０４ｓを備えることが示されている。電子処理装置１０４および１０４ｃについて上記で説明したとおり、さらに総合的に図９を参照すると、電子処理装置１０４ｓはメモリ１２０と、プロセッサ１２２と、を備えてもよい。プロセッサ１２２は、１つないし複数のマイクロプロセッサ、特定用途向け集積回路（ＡＳＩＣ）、１つないし複数の処理コンポーネントを含む回路、分散型処理コンポーネント群、マイクロプロセッサ支援回路、または処理用に構成されたその他のハードウェアであってよく、またはこれらを含んでもよい。一例示的実施形態によると、プロセッサ１２２は、メモリ１２０が記憶したコンピュータコードを実行して、本明細書で説明する操作を完了または容易にするよう構成されている。メモリ１２０は、本明細書で説明する操作に関するデータまたはコンピュータコードの記憶が可能であれば、どのような揮発性もしくは非揮発性のメモリ装置でもよい。例えば、メモリ１２０は、プロセッサ１２２によって実行されるよう構成されたコンピュータコードモジュール（例：実行形式コード、オブジェクトコード、ソースコード、スクリプトコード、機械コード等）であるモジュール１２８および１３４を備えることが示されている。電子処理装置１０４ｓは、プロセッサ１２２によって実行されるとき、本明細書で説明する操作を完了するよう構成されている。電子処理装置１０４ｓは、モジュール１２８および１３４のコンピュータコードの実行を支援するためのハードウェア回路を備える。例えば、電子処理装置１０４ｓから電子処理装置１０４ｓに結合された１つないし複数の回路へと制御信号（例：アナログ、デジタル）を通信するために、電子処理装置１０４ｓはハードウェアインターフェース（例：出力１５０）を備える。電子処理装置１０４ｓはまた、他のシステムまたは装置からのデータまたは信号を受け取るために入力１５５を備えてもよい。メモリ１２０は、クライアントから選択情報またはプリファレンス情報を受け取るための、また適合性のある筐体の群もしくは適合性のあるハードウェアコンポーネントの群を提供するためのロジックを含む適合性モジュール１３４を備えることが示されている。
【００６３】
ユーザはまず携帯電話の筐体１２の群から、携帯電話の筐体１２を選択する。図５を参照すると、ユーザは、例えばディスプレイ１１４に示されているような筐体のリスト５１から選択することができる。ユーザは、テキストの選択またはクリック、チェックボックスへのチェック、ラジオボタンの選択、またはその他のあらゆる適切な選択方法によって、リスト５１から選択することができる。図１を参照すると、ユーザは、例えばディスプレイ１１４に示されているような、携帯電話の筐体１２の１つないし複数の画像５３、５５から選択することができる。携帯電話の筐体１２のリストまたは画像はサーバ１０２によって提供され、またサーバ１０２によって表示される。筐体１２の群には、異なる様式、形状、およびサイズの携帯電話の筐体が含まれていてもよい。ユーザは、サイズ、容積、および形状のうち少なくとも１つに基づいて携帯電話の筐体１２を選択することができる。ユーザはまた、重量に関するプリファレンス情報（例：携帯電話の好ましい重量、携帯電話の好ましい重量の範囲、他の要因に照らした場合の携帯電話の重量の優先順位等）を提供または選択することもできる。ユーザはまた、料金に関するプリファレンス情報（例：携帯電話の好ましい料金または値段、携帯電話の好ましい料金または値段の範囲、他の要因に照らした場合の携帯電話の料金または値段の優先順位等）を提供または選択することができる。
【００６４】
ユーザによる選択は、筐体選択情報として、クライアント１１０からサーバ１０２へと送られる。クライアント１１０から重量プリファレンス情報および料金プリファレンス情報が提供された場合は、該重量プリファレンス情報および該料金プリファレンス情報もサーバ１０２へと送られる。サーバ１０２は順番に、上記筐体選択情報、重量プリファレンス情報、および／または料金プリファレンス情報を受け取る。サーバ１０２は、ハードウェアコンポーネント２４と、上記筐体選択情報と一致する筐体との適合性に基づいてすべての利用可能なハードウェアコンポーネントの部分群を設定または特定する。別の実施形態によると、サーバ１０２は、別のコンピュータから、上記設定されたハードウェアコンポーネント２４の群を受け取る。
【００６５】
携帯電話の筐体１２と、選択可能なハードウェアコンポーネント２４または互換性のあるハードウェアコンポーネント２４との適合性は、少なくとも１つのサイズ値（例：長さ、幅、厚さ、面積、容積、形状等）に基づく。例えば、図４Ｃにおける、より厚みを有するハードウェアコンポーネント２４ｅの容積は、図４Ａのより薄い筐体１２の内部に収納できないであろう。同様に、図４Ｄにおける複雑なハードウェアコンポーネント２４ｆは、図３または図４Ａの筐体１２の内部に収納できないであろう。適合性は、上記筐体選択情報と一致する筐体１２の中で利用可能な受け部２２および電気接点２６の数および配置のうち少なくとも１つに基づく。重量プリファレンス情報および／または料金プリファレンス情報が提供されたのであれば、適合性は、該重量プリファレンス情報および／または該料金プリファレンス情報に基づいてもよい。
【００６６】
次にサーバ１０２は、上記選択された携帯電話の筐体１２と適合性のあるハードウェアコンポーネント２４の部分群を提供する。図６および図７を参照すると、適合性のあるハードウェアコンポーネント２４の上記部分群はリスト６１または画像７０で提供される。上記サーバはまた、ハードウェアコンポーネント２４に関する補助的情報を提供してもよい。例えば、リスト６１または画像７０は、上記ハードウェアコンポーネントのサイズ、重量、料金、等級分け、および在庫量（すなわち発送までの時間）を含んでもよい。筐体選択情報と適合性のない選択可能なハードウェアコンポーネント２４の部分群（例えば、ハードウェアコンポーネント２４と上記選択された筐体２４との適合性に基づき設定された、適合性のあるハードウェアコンポーネント２４の部分群の一部ではないもの）は、提供されないか、または適合性を有さないという表示（例：取り消し線、グレー表示、破線状の輪郭等）とともに提供される。別の実施形態によると、ハードウェアコンポーネント２４の上記部分群は、非画像処理、例えば注文履行システムに用いるために、メモリに保存してもよい。例えば、上記出力は、以下でさらに説明するように組立施設へ提供されてもよい。
【００６７】
上記システムはまた、あるハードウェアコンポーネント２４と上記筐体選択情報との適合性が、１つないし複数の基準に依存することを示してもよい。例えば、サーバ１０２は、第１のハードウェアコンポーネント２４ａのサイズが原因で第２のハードウェアコンポーネント２４ｂも選択された携帯電話の筐体に収納できないという表示をしてもよい。図７を簡単に参照すると、サーバ１０２は電力を消費するハードウェアコンポーネント（例：心臓モニター７６）はより大きな電池（例：ＸＬ電池ハードウェアコンポーネント７４）を必要とするという表示７８を行ってもよい。サーバ１０２は、電力を消費するハードウェアコンポーネントは、１つの携帯電話に２つ取り付けてはいけないという表示を行ってもよい。サーバ１０２は、あるハードウェアコンポーネント２４は、上記選択された筐体１２との適合性はないが、異なる筐体１２と適合性があるかもしれないという表示７９を行ってもよい。例えば、サーバ１０２は、人気のあるハードウェアコンポーネント２４は現在選択されている筐体よりも厚みがあり長さの長い携帯電話の筐体１２と適合性があることを提案してもよい。
【００６８】
上記提供されたハードウェアコンポーネント２４の部分群は、上記筐体選択情報と適合するハードウェアコンポーネント２４を個別に含んでもよいし、上記筐体選択情報と適合するハードウェアコンポーネントの組合せを含んでもよい。一つの組合せは、例えば、ミニＵＳＢコネクタ、ミニディスプレイポート（DisplayPort）コネクタ、およびミニＨＤＭＩ（登録商標）コネクタなどの関連用品を含んでもよい。別の組合せは、電力を消費するハードウェアコンポーネントと、より大きな電池と、を含んでもよい。別の組合せは、例えば、心臓モニターと超音波検査変換器の組合せなど、業務に特化したハードウェアコンポーネントであってもよい。別の組合せは、例えば、別のハードウェアコンポーネントとともに、選択された筐体の中に収納できるように、より厚いというよりもより長い大容量電池等、特殊なパッケージングがされたハードウェアコンポーネントを含んでもよい。さらに別のハードウェアコンポーネントの組合せは、スピーカーとマイクロフォンとを含んでもよい。
【００６９】
ユーザは、上記選択された筐体１２と適合するハードウェアコンポーネントの群または部分群から、少なくとも１つの、適合性のあるハードウェアコンポーネント２４を選択することで、携帯電話１０をさらにカスタマイズすることができる。図７を参照すると、ユーザは、あるハードウェアコンポーネント２４の画像８０を、上記選択された携帯電話の筐体１２の画像７０に移す（例：移動させる、ドラッグする等）ことによって、所望のハードウェアコンポーネント２４を選択することができる。例えば、ユーザはディスプレイ１１４の右側に位置する「ＲＡＭ」ハードウェアコンポーネント７１を、利用可能な受け部２２ａ〜ｄのうち１つの受け部２２の位置にドラッグしてもよい。ユーザは互換性のあるハードウェアコンポーネント２４を所望の通りに再構成してもよい。例えば、右利きのユーザは、ＵＢＳケーブルまた装置の接続および切断を容易にするために、ミニＵＳＢコネクタハードウェアコンポーネント７３を筐体１２の右側に配置してもよい。ユーザによる選択はクライアント１１０からサーバ１０２へ第１のハードウェア選択情報として送られ、サーバ１０２は、上記第１のハードウェア選択情報を順番に受け取る。
【００７０】
他のさまざまな実施形態によると、上記システムは、例えば、先使用情報、等級分け情報、製造情報等、他の種類の情報を受け取ってもよい。先使用情報は、電池の充電頻度、平均又は中央バッテリーサイクルの深度、電話の受信回数、電話の落下回数、送信済みのテキストメッセージの数、加速度データ等を含むことができる。上記先使用情報は、ユーザのアカウント情報、またはユーザの現在の電話から回収される形でユーザから提供される。例えば、上記先使用情報は、ユーザの現在の電話に搭載した先使用レコーダーハードウェアコンポーネントから回収される。電池使用情報は、適切なサイズの電池を提案するために、上記システムによって使用されてもよい。送信済みのテキストの数は、特定の様式の電話（例：完全なキーボードを有する電話）またはテキスト用プランを提案するために使用されてもよい。加速度（例：電話の落下回数）は、より頑丈な筐体、より頑丈なハードウェアコンポーネント、筐体用の保護カバー、または電話保険の増加を提案するために使用されてもよい。等級分け情報６３は、ユーザの意見または目的関数テストに基づいた、人気度に基づく等級分けを含んでもよい。製造情報は製造の複雑さ（例：２つの大型のハードウェアコンポーネントを小さな筐体の中に密接にはめ込む）またはハードウェアコンポーネントの入手可能性（例：バックオーダー、またはほとんど購入されていない）を含んでもよい。上記選択された筐体と適合性のあるハードウェアコンポーネントの群およびハードウェアは、受け取った追加情報に応じてアップデートされる。
【００７１】
サーバ１０２は、次に第２のハードウェアコンポーネント２４の群を提供する。上記第２のハードウェアコンポーネントの群は、上記第２のハードウェアコンポーネント、上記第１のハードウェア選択情報、および筐体選択情報間での適合性に基づき設定されている。例えば、ユーザが、小型で軽量の電池を第１のハードウェアコンポーネント２４として選択した場合、上記アップデートされたハードウェアコンポーネントの群は電力を消費するハードウェアコンポーネントを含まない。同様に、上記第１の選択されたハードウェアコンポーネントが大型のコンポーネントである場合、他の大型のコンポーネントは上記アップデートされた群から除外される。上記システムは、ユーザによるハードウェアコンポーネントと筐体の様式、形状、およびサイズの選択と削除にしたがって、適合性のあるハードウェアの群のアップデートを継続する。
【００７２】
一実施形態によると、ユーザは組み立て済みの携帯電話１０を選択することができる。組み立て済みの携帯電話１０は、受け部２２の中に既に設置された１つないし複数のハードウェアコンポーネント２４を含んでもよいし、１つないし複数の空の受け部２２を含んでもよい。組み立て済みの携帯電話１０の群は、値段、人気度、特定のコンポーネントの在庫を削減したいという希望、料金等に基づいてユーザに提供される。一実施形態によると、携帯電話１０は、特定の筐体１２（例：色、ロゴ、パターン、印刷、画像、材質感）およびハードウェアコンポーネント２４を有するように設計者によって予め組み立てられてもよい。別の実施形態によると、上記電話１０は上記に説明したようなハードウェアコンポーネント２４の組合せを用いて予め組み立てられてもよい。ユーザは次に、上記１つないし複数の空の受け部２２と適合性を有して互換性のあるハードウェアコンポーネント２４の部分群から選択を行う。
【００７３】
別の実施形態によると、ユーザは、まず、１つないし複数のハードウェアコンポーネント２４を選択することができる。ユーザは、ハードウェアコンポーネント２４のリスト６１、またはハードウェアコンポーネント２４の１つないし複数の画像８０から選択することができる。ユーザはハードウェアコンポーネント２４を個別に選択してもよいし、あらかじめ規定された組合せのハードウェアコンポーネント２４を選択してもよい。その後ユーザには、上記携帯電話の筐体１２と、上記選択されたハードウェアコンポーネント２４との適合性に基づいて設定された、携帯電話の筐体１２の群が提供される。上記携帯電話の筐体１２の群は、リスト５１、または１つもしくはそれ以上の画像５３、５５で提供される。適合性は少なくとも１つのサイズ値（例：長さ、面積、厚さ、体積寸法等）、受け部２２または筐体内部の電気接点２６の数または方向等に基づく。ユーザは、料金プリファレンス情報、重量プリファレンス情報、または筐体プリファレンス情報（例：筐体の様式、筐体の形状、筐体のサイズ、筐体の色等）を提供または選択してもよい。これらの希望事項は、ユーザに提供される上記携帯電話の筐体１２の群を決定する要因として考慮される。
【００７４】
上記提供された上記携帯電話の筐体１２の群は標準的な筐体でもカスタマイズされた筐体でもよい。例えば、利用可能な筐体１２のうちの１つに収納することができない特定の「必須」ハードウェアコンポーネント２４を選択した後、ユーザには上記コンポーネントが収納できるよう製造された、カスタム筐体を持つ選択肢が与えられてもよい。
【００７５】
上記で説明したとおり、上記システムは、特定のハードウェアコンポーネント２４間の依存性、および特定のハードウェアコンポーネント２４および筐体１２間の依存性を表示することができる。サーバ１０２はまた、特定のハードウェアコンポーネント２４が、筐体１２との非適合性を生じさせているということを表示することができる。例えば、ユーザが厚みのあるハードウェアコンポーネント２４を１つ選択したとき、上記システムは、厚みのあるハードウェアが選択されることで、薄い携帯電話の筐体１２が選択できなくなるという表示をする構成であってもよい。サーバ１０２はさらに、同一の機能を持ちながら、非適合性を解決し得る、代わりのコンポーネントを提案してもよい。さらに、提案は、最適なスペース、重量、料金等に基づいてもよい。最適化アプローチの使用の他に、発見的アプローチ、ルール型アプローチ、またはその他の臨機応変なアプローチを使って提案を設定してもよい。例えば、ユーザが安価ではあるがより大型のハードウェアコンポーネント２４を選択し、上記システムが、より高価ではあるがより小型のハードウェアコンポーネントを提案する。その時、上記より小型のハードウェアコンポーネント２４は、より薄い、もしくはより小型の携帯電話の筐体１２と適合性がある。
【００７６】
上記システムは、上記選択可能なハードウェアコンポーネント２４および筐体１２の群または部分群を、実質的にリアルタイムでアップデートするように構成することができる。例えば、ある第１のハードウェアコンポーネント２４を選択すると、上記システムは、適合しない携帯電話の筐体１２の部分群を削除または表示する。あるいは、あるハードウェアコンポーネント２４を削除すると、上記システムは、他のハードウェアコンポーネント２４および携帯電話の筐体１２を、適合性があるとして表示することができる。一実施形態によると、容積が大きなハードウェアコンポーネント２４を選択すると、小さな容積の携帯電話の筐体１２が選択肢から削除される。このため、ユーザは、各ハードウェアコンポーネント２４がいかにして自らの携帯電話の筐体１２の選択肢に影響するかが分かる。筐体１２を選択した後、適合性のあるハードウェアコンポーネント２４の群はアップデートされてもよい。例えば、上記システムは、これまでに選択したハードウェアコンポーネント２４および上記選択した携帯電話の筐体１２と適合性のあるハードウェアコンポーネント２４の部分群を提供してもよい。ユーザは、残りの受け部２２ａ〜２２ｄを埋めるために、続けて追加のハードウェアコンポーネント２４を選択してよい。部分群の適合性、依存性の表示、および提案は追加の選択が行われるたびにアップデートされる。
【００７７】
別の実施形態によると、図８のクライアント１１０は、携帯電話の筐体の群に関するデータ、ハードウェアコンポーネントの群に関するデータ、適合性に関するデータ、依存性に関するデータ、およびその他の携帯電話のカスタマイズに必要な情報を、１つないし複数のサーバ１０２からダウンロードすることができる。例えば、サーバ１０２の適合性モジュール１３４は、電話の筐体の群に関するデータ、ハードウェアコンポーネントの群に関するデータ、適合性データ、および依存性に関するデータをクライアント１１０に提供するよう構成されている。クライアント１１０のカスタマイズモジュール１３２は次に、ユーザユーザ入力装置１１６またはユーザインターフェースモジュール１３０から情報（例：選択情報、プリファレンス情報等）を受け取る。カスタマイズモジュール１３２は、その後、適合性に基づいて筐体１２およびハードウェアコンポーネント２４の群を設定し、該群をプロセッサ１２２、ディスプレイ１１４、出力１５０、または別のモジュールに提供する。例えば、ユーザが携帯電話の筐体１２の群の中から携帯電話の筐体１２を選択すると、カスタマイズモジュール１３２が、互いに異なる機能を有する互換性のあるハードウェアコンポーネント２４の部分群を設定する。上記互換性のあるハードウェアコンポーネント２４の部分群は、上記選択された携帯電話の筐体１２と上記利用可能な互換性のあるハードウェアコンポーネント２４の群との適合性に基づいて設定される。
【００７８】
本明細書に記載のシステムおよび方法を用いることで、筐体１２に収納可能で選択可能なハードウェアコンポーネント２４でハードウェアをカスタマイズ可能な携帯電話１１０の販売申出を行うことができる。販売者は、１つないし複数の携帯電話の筐体１２の申出を行い、携帯電話の筐体の選択を受け取る。上記販売者は上記携帯電話の筐体１２に収容可能に構成された少なくとも１つのハードウェアコンポーネント２４について１つないし複数の選択肢を提案し、上記筐体に収納可能に構成された少なくとも１つのハードウェアコンポーネントの選択を受け取る。
【００７９】
一実施形態によると、販売者は、購入者が特定のハードウェアコンポーネント２４を搭載した携帯電話１０を購入することと引き換えに、該携帯電話１０の値引きを行うことができる。別の実施形態によると、貸主は、携帯電話１０のハードウェアコンポーネントに事故データレコーダーまたは先使用情報レコーダーが含まれている場合、借主に対して該携帯電話１０の割引を行うことができる。上記事故データレコーダーまたは上記先使用情報レコーダーは、携帯電話１０の特定の受け部２２に対応する特定の構成（例：形状、電気接点、暗号化キー、ロック等）を有していてもよいが、このことが、ハードウェアコンポーネントとしての上記レコーダーの除去または取り替えを非常に困難にしている。
【００８０】
さらに本明細書に記載のシステムおよび方法を用いて、アフターマーケットのカスタマイザは、互換性のあるハードウェアコンポーネント２４を販売してもよい。例えば、ユーザがすでにカスタマイズ可能な携帯電話１０を持っていたとすると、ユーザは、別の互換性のあるハードウェアコンポーネント２４が自らの携帯電話１０に収納できるかどうかを決定するシステムを使うことができる。互換性のあるハードウェアコンポーネント２４または上記携帯電話の筐体１２の受け部２２にハードウェアまたはソフトウェアロックをかけて、非認証の、または偽造のハードウェアコンポーネント２４の使用を禁止するオリジナル機器メーカーもあることが考えられる。
【００８１】
上記選択された筐体およびハードウェアコンポーネントはアセンブラー（例：組立施設、メーカー、製造施設等）へ提供される。アセンブラーは携帯電話の筐体１２の１つないし複数の様式、形状、またはサイズを受け取る。アセンブラーはまた、携帯電話の筐体１２に納まるよう構成された複数の互換性のあるハードウェアコンポーネント２４を受け取る。それから、アセンブラーは、注文に応じて１つないし複数の互換性のあるハードウェアコンポーネント２４を携帯電話の筐体１２の内部に組み込む。ハードウェアをカスタマイズ可能な携帯電話１０は特別注文（例：エンドユーザによる）または通常注文に応じて組み立てられる。例えば、ある小売店は人気があるという理由で特定の設定を注文する。別の小売店は、ある有名人が持っているという理由で、その設定と同一の特定の設定を注文する。
【００８２】
図１０を参照する。一例示的実施形態に基づいて、携帯電話のハードウェアをカスタマイズする工程２００のフローチャートが示されている。工程２００は、ユーザ入力装置から筐体選択情報を受け取る工程（工程２０２）と、ハードウェアコンポーネントと上記筐体選択情報との間の適合性に基づいて設定された、上記ハードウェアコンポーネントの群を特定する工程（工程２０４）と、上記特定された適合性のあるハードウェアコンポーネントの群を出力する工程（工程２０６）と、を含むことが示されている。例えば、さまざまな実施形態によると、筐体選択情報を受け取る工程２０２は、メモリ、通信インターフェース、またはユーザ入力装置から受け取ることを含み、ハードウェアコンポーネントの群を特定する工程２０４は、電子処理装置によって行われ、上記コンポーネントの群を出力する工程２０６はメモリ、ディスプレイインターフェース、または通信インターフェースへの出力を含む。
【００８３】
図１１を参照する。一例示的実施形態に基づいて、携帯電話のハードウェアをカスタマイズする工程２１０のフローチャートが示されている。工程２１０は、携帯電話の筐体の群を準備する工程（工程２１２）と、筐体選択情報を受け取る工程（工程２１４）と、ハードウェアコンポーネントと上記筐体選択情報との間の適合性に基づいて設定された、上記ハードウェアコンポーネントの群を特定する工程（工程２２０）と、上記特定された適合性のあるハードウェアコンポーネントの群を出力する工程（２２２）と、を含むことが示されている。工程２１０はまた、重量プリファレンス情報を受け取る工程（工程２１６）および料金プリファレンス情報を受け取る工程（工程２１８）のうち、１つないし複数の工程を含んでもよい。
【００８４】
図１２を参照する。一例示的実施形態に基づいて、携帯電話のハードウェアをカスタマイズする工程２３０のフローチャートが示されている。工程２３０は、筐体選択情報を受け取る工程（工程２３２）と、ハードウェアコンポーネントと上記筐体選択情報の間の適合性に基づいて設定された、ハードウェアコンポーネントの群を特定する工程（工程２３４）と、上記特定された適合性のあるハードウェアコンポーネントの群を出力する工程（工程２３６）と、第１のハードウェア選択情報を受け取る工程（工程２３８）と、第２のハードウェアコンポーネントと、上記第１のハードウェア選択情報と、上記筐体選択情報との間の適合性に基づいて設定された、適合性のある上記第２のハードウェアコンポーネントの群を特定する工程（工程２４０）と、上記特定された適合性のある第２のハードウェアコンポーネントの群を出力する工程（工程２４２）と、を含むことが示されている。工程２３０はさらに、あるハードウェアコンポーネントと上記筐体選択情報との適合性は、１つないし複数の基準に依存することを表示する工程（工程２４４）を含んでもよい。
【００８５】
図１３を参照する。一例示的実施形態に基づいて、携帯電話のハードウェアをカスタマイズする工程３００のフローチャートが示されている。工程３００は、ハードウェアコンポーネント選択情報を受け取る工程（工程３０２）と、携帯電話の筐体と上記ハードウェアコンポーネント選択情報との間の適合性に基づいて設定された、適合性のある上記携帯電話の筐体の群を特定する工程（工程３０４）と、上記特定された適合性のある携帯電話の筐体の群を出力する工程（工程３０６）とを含むことが示されている。例えば、さまざまな実施形態によると、筐体選択情報を受け取る工程３０２は、メモリ、通信インターフェース、またはユーザ入力装置から受け取ることを含み、携帯電話の筐体の群を特定する工程３０４は、電子処理装置によって行われ、上記携帯電話の筐体の群を出力する工程３０６はメモリ、ディスプレイインターフェース、または通信インターフェースへの出力を含む。
【００８６】
図１４を参照する。一実施形態に基づいて、携帯電話のハードウェアをカスタマイズする工程３１０のフローチャートが示されている。工程３１０は、ハードウェアコンポーネントを準備する工程（工程３１２）と、ハードウェアコンポーネント選択情報を受け取る工程（工程３１４）と、携帯電話の筐体と上記ハードウェアコンポーネント選択情報との間の適合性に基づいて設定された、適合性のある上記携帯電話の筐体の群を特定する工程（工程３２０）と、上記特定された適合性のある携帯電話の筐体の群を出力する工程（工程３２２）と、を含むことが示されている。工程３１０はまた、重量プリファレンス情報を受け取る工程（工程３１６）および料金プリファレンス情報を受け取る工程（工程３１８）のうち、１つないし複数の工程を含んでもよい。
【００８７】
図１５を参照する。一実施形態に基づいて、携帯電話のハードウェアをカスタマイズする工程３３０のフローチャートが示されている。工程３３０は、ハードウェアコンポーネント選択情報を受け取る工程（工程３３２）と、携帯電話の筐体と上記ハードウェアコンポーネント選択情報との間の適合性に基づいて設定された、上記携帯電話の筐体の群を特定する工程（工程３３４）と、上記特定された適合性のある携帯電話の筐体の群を出力する工程（工程３３６）と、筐体選択情報を受け取る工程（工程３３８）と、第２のハードウェアコンポーネントと、上記ハードウェアコンポーネント選択情報と、上記筐体選択情報との間の適合性に基づいて設定された、適合性のある上記第２のハードウェアコンポーネントの群を特定する工程（工程３４０）と、上記適合性のある第２のハードウェアコンポーネントの群を出力する工程（工程３４２）と、を含むことが示されている。プロセス３３０はさらにある携帯電話の筐体と上記ハードウェアコンポーネント選択情報との適合性は、１つないし複数の基準に依存することを表示する工程（工程３４０）を含んでもよい。
【００８８】
図１６を参照する。一実施形態に基づいて、携帯電話のハードウェアをカスタマイズする工程３５０のフローチャートが示されている。工程３５０は、ハードウェアコンポーネント選択情報を受け取る工程（工程３５２）と、筐体プリファレンス情報を受け取る工程（工程３５４）と、携帯電話の筐体と、上記ハードウェアコンポーネント選択情報と、上記筐体プリファレンス情報との間の適合性に基づいて設定された、上記携帯電話の筐体の群を特定する工程（工程３５６）と、上記特定された携帯電話の筐体の群を出力する工程（工程３５８）とを含むことが示されている。さまざまな実施形態によると、上記筐体プリファレンス情報は筐体の形状、筐体の様式、および筐体のサイズを含んでもよい。
【００８９】
図１７を参照する。一実施形態に基づいて、携帯電話のハードウェアをカスタマイズする工程４００のフローチャートが示されている。工程４００は、携帯電話の筐体の群から携帯電話の筐体を選択する工程（工程４０２）と、上記選択された携帯電話の筐体と上記利用可能な互換性のあるハードウェアコンポーネントの群との間の適合性に基づいて設定された、互いに異なる機能を有する互換性のあるハードウェアコンポーネントの部分群から少なくとも１つのハードウェアコンポーネントを選択する工程（工程４０４）と、を含むことが示されている。
【００９０】
図１８を参照する。一実施形態に基づいて、携帯電話のハードウェアをカスタマイズする工程４１０のフローチャートが示されている。工程４１０は、携帯電話の筐体の群から携帯電話の筐体を選択する工程（工程４１２）と、上記選択された携帯電話の筐体と上記利用可能な互換性のあるハードウェアコンポーネントの群との間の適合性に基づいて設定された、互いに異なる機能を有する互換性のあるハードウェアコンポーネントの部分群から少なくとも１つのハードウェアコンポーネントを選択する工程（工程４１８）と、を含むことが示されている。工程４１０はまた、重量プリファレンス情報を提供する工程（工程４１４）および料金プリファレンス情報を提供する工程（工程４１６）のうち、１つないし複数の工程を含んでもよい。
【００９１】
図１９を参照する。一実施形態に基づいて、携帯電話のハードウェアをカスタマイズする工程４２０のフローチャートが示されている。工程４２０は、互換性のあるハードウェアコンポーネントを受け取るよう構成された空の部分を少なくとも１つ含む組み立て済みの携帯電話を携帯電話の筐体の群から選択する工程（工程４２２）と、上記選択された携帯電話の筐体と上記利用可能な互換性のあるハードウェアコンポーネントの群との間の適合性に基づいて設定された、互いに異なる機能を有する互換性のあるハードウェアコンポーネントの部分群から少なくとも１つのハードウェアコンポーネントを選択する工程（工程４２４）と、を含むことが示されている。
【００９２】
図２０を参照する。一実施形態に基づいて、携帯電話のハードウェアをカスタマイズする工程４３０のフローチャートが示されている。工程４３０は、携帯電話の筐体の群から携帯電話の筐体を選択する工程（工程４３２）と、上記選択された携帯電話の筐体と上記利用可能な互換性のあるハードウェアコンポーネントの群との間の適合性に基づいて設定された互換性のあるハードウェアコンポーネントの部分群からの少なくとも１つのハードウェアコンポーネントの画像を、第１の位置から、上記選択された携帯電話の筐体の内部の一部分に相当する第２の位置に移動させる工程（工程４３４）と、互いに異なる機能を有する互換性のあるハードウェアコンポーネントの部分群から少なくとも１つのハードウェアコンポーネントを選択する工程（工程４３６）と、を含むことが示されている。
【００９３】
図２１を参照する。一実施形態に基づいて、携帯電話を販売する工程５００のフローチャートが示されている。工程５００は、筐体に収納可能に構成された１つないし複数の選択可能なハードウェアコンポーネントでハードウェアをカスタマイズ可能な携帯電話の販売申出を行う工程（工程５０２）と、上記筐体に収納可能に構成された少なくとも１つのハードウェアコンポーネントについて、複数の選択肢の申出を行う工程（工程５０４）と、上記筐体に収納可能に構成された、少なくとも１つのハードウェアコンポーネントの選択を受け取る工程（工程５０６）と、を含むことが示されている。
【００９４】
図２２を参照する。一実施形態に基づいて、携帯電話を販売する工程５１０のフローチャートが示されている。工程５１０は、筐体に収納可能に構成された１つないし複数の選択可能なハードウェアコンポーネントでハードウェアをカスタマイズ可能な携帯電話の販売申出を行う工程（工程５１２）と、先使用情報を受け取る工程（工程５１４）と、上記筐体に収納可能に構成された少なくとも１つのハードウェアコンポーネントについて、複数の選択肢の申出を行う工程（工程５１６）と、上記筐体に収納可能に構成された、少なくとも１つのハードウェアコンポーネントの選択受け取る工程（工程５１８）と、を含むことが示されている。
【００９５】
図２３を参照する。一実施形態に基づいて、携帯電話を販売する工程５２０のフローチャートが示されている。工程５２０は、筐体に収納可能に構成された１つないし複数の選択可能なハードウェアコンポーネントでハードウェアをカスタマイズ可能な携帯電話の販売申出を行う工程（工程５２２）と、上記筐体に収納可能に構成された少なくとも１つのハードウェアコンポーネントについて、複数の選択肢の申出を行う工程（工程５２４）と、上記筐体に収納可能に構成された、少なくとも１つのハードウェアコンポーネントの選択を受け取る工程（５３２）と、を含むことが示されている。工程５２０はまた、上記筐体に収納可能に構成された少なくとも１つのハードウェアコンポーネントについて、製造の複雑さに基づいて複数の選択肢の申出を行う工程（工程５２６）と、上記筐体に収納可能に構成された少なくとも１つのハードウェアコンポーネントについて、ハードウェアコンポーネントの入手可能性に基づいて複数の選択肢の申出を行う工程(工程５２８）と、上記筐体に収納可能に構成された少なくとも１つのハードウェアコンポーネントについて、ハードウェアコンポーネントの等級分けに基づいて複数の選択肢の申出を行う工程（工程５３０）と、のうち、１つないし複数の工程を含んでもよい。
【００９６】
図２４を参照する。一実施形態に基づいて、携帯電話のハードウェアをカスタマイズする工程６００のフローチャートが示されている。工程６００は、携帯電話の筐体の群の中からの携帯電話の筐体の選択をエンドユーザから受け取る工程（工程６０２）と、上記選択された携帯電話の筐体と上記利用可能な互換性のあるハードウェアコンポーネントの群との間の適合性に基づいて設定された、互いに異なる機能を有する互換性のあるハードウェアコンポーネントの部分群をエンドユーザに送る工程（工程６０４）と、上記互換性のあるハードウェアコンポーネントの部分群の中から選択した少なくとも１つのハードウェアコンポーネントの選択をエンドユーザから受け取る工程（工程６０６）と、を含むことが示されている。
【００９７】
図２５を参照する。一実施形態に基づいて、携帯電話のハードウェアをカスタマイズする工程６１０のフローチャートが示されている。工程６１０は、コンピュータネットワークを介して、携帯電話の筐体の群の中からの携帯電話の筐体の選択をエンドユーザから受け取る工程（工程６１２）と、コンピュータネットワークを介して、上記選択された携帯電話の筐体と上記利用可能な互換性のあるハードウェアコンポーネントの群との間の適合性に基づいて設定された、互いに異なる機能を有する互換性のあるハードウェアコンポーネントの部分群をエンドユーザに送る工程（工程６２０）と、コンピュータネットワークを介して、上記互換性のあるハードウェアコンポーネントの部分群の中からの少なくとも１つのハードウェアコンポーネントの選択をエンドユーザから受け取る工程（工程６２２）と、を含むことが示されている。工程６１０はまた、コンピュータネットワークを介して、重量プリファレンス情報をエンドユーザから受け取る工程（工程６１４）と、コンピュータネットワークを介して、料金プリファレンス情報をエンドユーザから受け取る工程（工程６１６）と、コンピュータネットワークを介して、上記携帯電話の筐体の群の中から選択した、互換性のあるハードウェアコンポーネントを受け取るために少なくとも１つの空の部分を含む組み立て済みの携帯電話の選択をエンドユーザから受け取る工程（工程６１８）と、を含んでもよい。
【００９８】
なお、例示的実施形態として示したシステムおよび方法の構造および構成は、例示目的でのみ示されていることに十分留意されたい。詳細に記載しているのは幾つかの実施形態のみであるが、当業者が本開示を吟味すれば、記載された発明の主題に係る新規の教示内容および利点から著しく逸脱することなく、多くの変更（例：サイズ、寸法、構造、各種要素の形状および割合、パラメータの数値、搭載時の配置、材料の使用、色、方向等における変更）が可能であることを容易に理解するであろう。例えば、一体的に形成されているとして示された要素は、複数の部品または要素によって構築されてもよい。なお、本明細書に開示する要素および組立部品は、十分な強度または耐久性を有するものであればどのような種類の材料で構築されてもよく、どのような種類の色、材質感および組合せを有していてもよい。さらに、本願の説明において「例示的」という言葉は、例、具体例、例証であることを意味するために用いられている。本明細書に「例示的」として記載された実施形態または設計は、必ずしも他の実施形態または設計よりも好ましいものであるとして、または有利なものであるとして解釈されるべきではない。むしろ、「例示的」という言葉を使用して、概念を具体的に示すことを意図している。したがって、このようなすべての変更は本発明の範囲に含まれるものとする。いかなる工程または方法の工程の順序または連続性は、代替の実施形態にしたがって異ならせたり再編成したりすることができる。本開示の範囲または添付の請求項の範囲から逸脱することなく、好ましい例示的実施形態およびその他の例示的実施形態の設計、操作条件、および構成において、その他の代用、変更、変化、および省略を行うことができる。
【００９９】
本開示は、さまざまな操作を成し遂げるために、機械で読み取り可能な媒体に関する方法、システム、およびプログラム製品を検討する。本開示の実施形態は、既存のコンピュータプロセッサ、本目的または別の目的のために組み込まれた適切なシステムの専用コンピュータプロセッサ、または配線接続システムによって実行することができる。本開示の範囲に含まれる実施形態は、機械で実行可能な指示またはデータ構造を自身に記憶した、機械で読み取り可能な媒体を含むプログラム製品を含む。上記機械で読み取り可能な媒体は、汎用もしくは専用のコンピュータ、またはプロセッサを有した他の機械によってアクセスすることができるものであれば、入手可能などのような媒体であってもよい。例えば、上記機械で読み取り可能な媒体は、ＲＡＭ、ＲＯＭ、ＥＰＲＯＭ、ＥＥＰＲＯＭ（登録商標）、ＣＤ−ＲＯＭまたは他の光ディスク記憶装置、磁気ディスク記憶装置もしくは他の磁気記憶装置、または所望のプログラムコードを機械で実行可能な指示またはデータ構造として保持または記憶させるために使うことができ、汎用もしくは専用のコンピュータ、またはプロセッサを有した他の機械によってアクセスすることができる他のあらゆる媒体を含んでもよい。情報が、ネットワークもしくは別の通信による接続（配線接続、無線、配線接続または無線の組合せのうちいずれか）を介して機械に転送もしくは提供された場合、上記機械は、上記接続を、機械で読み取り可能な媒体であると適宜みなす。したがって、このような接続はいかなるものでも、適宜「機械で読み取り可能な媒体」と称する。上記の組合せもまた、機械で読み取り可能な媒体の範囲に含まれる。機械で実行可能な指示は、例えば、汎用コンピュータ、専用コンピュータ、もしくは専用処理機械に、特定の機能もしくは機能群を遂行させる指示およびデータを含む。
【０１００】
図面は方法の工程に関して特定の順序を示しているが、工程の順序は描写されるものと異なっていてもよい。また、２つまたはそれ以上の工程が同時に、または一部同時に行われることがある。このような変形例は、選択されたソフトウェアシステムならびにハードウェアシステム、および設計者の選択に因るであろう。このような変形例はすべて本開示の範囲に含まれる。同様に、ソフトウェアによる実行は、（ｉ）ルールに基づいたロジックおよび（ｉｉ）さまざまな接続工程、処理工程、比較工程、ならびに決定工程を成し遂げるための他のロジックを用いた標準的なプログラミング技術によって成し遂げることができる。
【図面の簡単な説明】
【０１０１】
【図１】さまざまな例示的実施形態に係る、さまざまな携帯電話を示した例示的表示である。
【図２Ａ】例示的実施形態に係る、携帯電話の模式的ブロック図である。
【図２Ｂ】例示的実施形態に係る、携帯電話の模式的ブロック図である。
【図２Ｃ】例示的実施形態に係る、携帯電話の模式的ブロック図である。
【図３】別の実施形態に係る、携帯電話の模式的ブロック図である。
【図４Ａ】一例示的実施形態に係る、携帯電話の横断立面図を詳細に示した模式的ブロック図である。
【図４Ｂ】一例示的実施形態に係る、携帯電話の横断立面図を詳細に示した模式的ブロック図である。
【図４Ｃ】一例示的実施形態に係る、携帯電話の横断立面図を詳細に示した模式的ブロック図である。
【図４Ｄ】一例示的実施形態に係る、携帯電話の横断立面図を詳細に示した模式的ブロック図である。
【図５】一例示的実施形態に係る、携帯電話の筐体のリストを示した例示的表示である。
【図６】一実施形態に係る、ハードウェアコンポーネントのリストを示した例示的表示である。
【図７】一実施形態に係る、携帯電話の筐体とハードウェアコンポーネントの画像を示した例示的表示である。
【図８】一実施形態に係る、ネットワークを介して接続され、本開示のシステムおよび方法を使うよう構成されたサーバおよびクライアントの模式図である。
【図９】一例示的実施形態に係る、電子処理装置の詳細ブロック図である。
【図１０】一例示的実施形態に係る、携帯電話用にハードウェアをカスタマイズする工程のフローチャートである。
【図１１】別の実施形態に係る、携帯電話のハードウェアをカスタマイズする工程のフローチャートである。
【図１２】別の実施形態に係る、携帯電話のハードウェアをカスタマイズする工程のフローチャートである。
【図１３】別の実施形態に係る、携帯電話のハードウェアをカスタマイズする工程のフローチャートである。
【図１４】別の実施形態に係る、携帯電話のハードウェアをカスタマイズする工程のフローチャートである。
【図１５】別の実施形態に係る、携帯電話のハードウェアをカスタマイズする工程のフローチャートである。
【図１６】別の実施形態に係る、携帯電話のハードウェアをカスタマイズする工程のフローチャートである。
【図１７】別の実施形態に係る、携帯電話のハードウェアをカスタマイズする工程のフローチャートである。
【図１８】別の実施形態に係る、携帯電話のハードウェアをカスタマイズする工程のフローチャートである。
【図１９】別の実施形態に係る、携帯電話のハードウェアをカスタマイズする工程のフローチャートである。
【図２０】別の実施形態に係る、携帯電話のハードウェアをカスタマイズする工程のフローチャートである。
【図２１】一例示的実施形態に係る、携帯電話を販売する工程のフローチャートである。
【図２２】別の実施形態に係る、携帯電話を販売する工程のフローチャートである。
【図２３】別の実施形態に係る、携帯電話を販売する工程のフローチャートである。
【図２４】別の実施形態に係る、携帯電話のハードウェアをカスタマイズする工程のフローチャートである。
【図２５】別の実施形態に係る、携帯電話のハードウェアをカスタマイズする工程のフローチャートである。
【図１】
2015512164.tif 000003
【図２Ａ】
2015512164.tif 000004
【図２Ｂ】
2015512164.tif 000005
【図２Ｃ】
2015512164.tif 000006
【図３】
2015512164.tif 000007
【図４Ａ】
2015512164.tif 000008
【図４Ｂ】
2015512164.tif 000009
【図４Ｃ】
2015512164.tif 000010
【図４Ｄ】
2015512164.tif 000011
【図５】
2015512164.tif 000012
【図６】
2015512164.tif 000013
【図７】
2015512164.tif 000014
【図８】
2015512164.tif 000015
【図９】
2015512164.tif 000016
【図１０】
2015512164.tif 000017
【図１１】
2015512164.tif 000018
【図１２】
2015512164.tif 000019
【図１３】
2015512164.tif 000020
【図１４】
2015512164.tif 000021
【図１５】
2015512164.tif 000022
【図１６】
2015512164.tif 000023
【図１７】
2015512164.tif 000024
【図１８】
2015512164.tif 000025
【図１９】
2015512164.tif 000026
【図２０】
2015512164.tif 000027
【図２１】
2015512164.tif 000028
【図２２】
2015512164.tif 000029
【図２３】
2015512164.tif 000030
【図２４】
2015512164.tif 000031
【図２５】
2015512164.tif 000032
【国際調査報告】
2015512164.tif 000033